(57)【要約】【課題】従来より大きな機器を搭載可能とし、分電盤の省スペース化も行うことのできる端子カバーを備えた分電盤を提供する。【解決手段】分電盤１は、前方へ開口するキャビネット２内において、主幹ブレーカ３と左右方向へ列設した複数の分岐ブレーカ４とを導電バー５により接続し、導電バー５の主幹ブレーカ３と反対側の端部に送り端子部６を設けており、送り端子部６は、送り端子部６を覆うように端子カバー７を備え、端子カバー７は、導電バー５の端部の上端縁５ａに係止する第１の爪部８ａと、下端縁５ｂに係止する第２の爪部８ｂとを備え、第１の爪部８ａと第２の爪部８ｂとが対向配置され、端子カバー７を、前後方向に着脱可能とする。【選択図】図３
2020205675.tif 000002
【特許請求の範囲】
【請求項１】
前方へ開口するキャビネット内において、主幹ブレーカと横方向に列設した複数の分岐ブレーカとを導電バーにより接続し、前記導電バーの前記主幹ブレーカと反対側の端部に送り端子部を設けた分電盤であって、
前記送り端子部は、前記送り端子部を覆うように端子カバーを備え、
前記端子カバーは、前記端部の上端縁に係止する第１の爪部と、下端縁に係止する第２の爪部とを備え、
前記第１の爪部と前記第２の爪部とが対向配置され、前記端子カバーを、前後方向に着脱可能とすることを特徴とする分電盤。
【請求項２】
前記端子カバーは、前記端子カバーの前面上部に、第２の爪部を導電バーから離脱させる押し込み部を設けたことを特徴とする請求項１に記載の分電盤。
【発明の詳細な説明】
【技術分野】
【０００１】
本発明は、分電盤に関し、特に分電盤の導電バーの端部に設けられる送り端子部に装着する端子カバーに関する。
【背景技術】
【０００２】
従来、分電盤は、基台上に主幹ブレーカと複数の分岐ブレーカが配設され、主幹ブレーカと複数の分岐ブレーカは、導電バーにより電気的に接続されている。導電バーの上下に沿って複数の分岐ブレーカが併設され、主幹ブレーカと反対側の端部であって、併設された複数の分岐ブレーカよりも突設されて送り端子部が設けられている。そして、当該送り端子部に作業者が誤って触れて感電したりすることを防ぐため、端子カバーを設けることが知られている。例えば、特許文献１では、分電盤のキャビネット前面側から母線への直接的な接触を防止する絶縁手段として機能する略平板状に形成された樹脂製のカバーが開示されている。特許文献１で開示された樹脂製のカバーは母線にねじ止めして固定されるが、定期点検時などに取り外す際に手間となる。この点を鑑み、特許文献２で開示されたように、導電バーに横方向から挿入し、固定部の爪が導電バーの支持部材に係止することで、着脱自在に取り付けられる端子カバーが知られている。
【先行技術文献】
【特許文献】
【０００３】
【特許文献１】特許第６１４２４２３号公報
【特許文献２】特開２０１０−２６３６８２号公報
【発明の概要】
【発明が解決しようとする課題】
【０００４】
しかし、特許文献２で開示された端子カバーは、装着脱を行う際に、端子カバーの左右幅と同等以上に横方向へ移動させる必要があるため、キャビネット内の機器を設置するためのフリースペースの一部をデッドスペース化しており、フリースペースがあっても機器搭載不可領域が存在し、機器の寸法によっては搭載できない機器があった。
【０００５】
そこで、本発明の目的は、従来より大きな機器を搭載可能とし、分電盤の省スペース化も行うことのできる端子カバーを備えた分電盤を提供することにある。
【課題を解決するための手段】
【０００６】
上記目的を達成するために、請求項１に記載の発明は、前方へ開口するキャビネット内において、主幹ブレーカと横方向に列設した複数の分岐ブレーカとを導電バーにより接続し、導電バーの主幹ブレーカと反対側の端部に送り端子部を設けた分電盤であって、送り端子部は、送り端子部を覆うように端子カバーを備え、端子カバーは、導電バーの端部の上端縁に係止する第１の爪部と、下端縁に係止する第２の爪部とを備え、第１の爪部と第２の爪部とが対向配置され、端子カバーを、前後方向に着脱可能とすることを特徴とする。
請求項２に記載の発明は、請求項１の構成において、端子カバーは、端子カバーの前面上部に、第２の爪部を導電バーから離脱させる押し込み部を設けたことを特徴とする。
【発明の効果】
【０００７】
請求項１に記載の発明によれば、端子カバーの着脱方向をキャビネットの前後方向としたことで、従来の端子カバーの着脱に必要であった送り端子部周辺のスペースが不要となるため、キャビネット内のフリースペースに従来よりも大きな機器を搭載できると共に、分電盤の省スペース化を図ることができる。加えて、端子カバーが、導電バーに取り付けられた端子カバーの保持に必要な保持力を確保しつつ、容易に着脱可能となる。
請求項２に記載の発明によれば、上記効果に加えて、取り付けられた端子カバーを外す際、押し込み部を後方へ向けて押し込むだけで、容易に端子カバーを外すことができ、端子カバー等の破損を防止することができる。
【図面の簡単な説明】
【０００８】
【図１】（Ａ）は分電盤の正面図、（Ｂ）は取り付けられた端子カバーの斜視図である。
【図２】（Ａ）は右前方から見た端子カバーの斜視図、（Ｂ）は左後方から見た端子カバーの斜視図である。
【図３】（Ａ）は端子カバーの取り付け方向を示す説明図、（Ｂ）は端子カバー付近のみを示した図１のＡ−Ａ線断面図である。
【図４】（Ａ）は端子カバーを前方へ引き抜く様子を図１のＡ−Ａ線断面において示す説明図、（Ｂ）は端子カバーを取り外す様子を図１のＡ−Ａ線断面において示す説明図である。
【図５】分電盤のフリースペースに機器を搭載した状態を示す正面図である。
【発明を実施するための形態】
【０００９】
以下、本発明の実施の形態を図面に基づいて説明する。
図１（Ａ）は分電盤の正面図、図１（Ｂ）は取り付けられた端子カバーの斜視図である。また、図２（Ａ）は右前方から見た端子カバーの斜視図、図２（Ｂ）は左後方から見た端子カバーの斜視図である。
図１（Ａ）に示すように、前方へ向けて開口する分電盤１のキャビネット２には、主幹ブレーカ３と左右方向へ列設した複数の分岐ブレーカ４とが配設され、主幹ブレーカ３と複数の分岐ブレーカ４とは導電バー５によって電気的に接続され、導電バー５の主幹ブレーカ３と反対側（右側）の端部に送り端子部６が設けられている。また，送り端子部６を覆うように端子カバー７が備えられている。さらに、キャビネット２の右側には、必要に応じて、電子機器を搭載可能なフリースペースＦが設けられている。
【００１０】
図１（Ｂ）に示すように、端子カバー７は、送り端子部６に接続される電線（図示せず）に干渉しない形状にして、送り端子部６の右側及び前方を覆うように形成される。
図２（Ａ），（Ｂ）に示すように、端子カバー７の前面には、前方へ突出する係止突起９と、押し込み部１０が形成されている。また、端子カバー７の後側には、後方へ向けて延びる第１の爪部８ａ及び第２の爪部８ｂが対向配置して設けられると共に、突起部７ａ、７ｂが設けられている。
なお、係止突起９は、端子カバー７の装着後、導電バー５と分岐ブレーカ４との接続部と、端子カバー７とを覆うように、端子カバー７の前方に装着される負荷名称表示板（図示せず）に設けられた係止孔へ係止突起９を挿入することで、左右方向へのずれを防止する目的で設けられている。
【００１１】
次に、端子カバー７の着脱方法について説明する。
図３（Ａ）は端子カバーの取り付け方向を示す説明図、図３（Ｂ）は端子カバー付近のみを示した図１のＡ−Ａ線断面図である。また、図４（Ａ）は端子カバーを前方へ引き抜く様子を図１のＡ−Ａ線断面において示す説明図、図４（Ｂ）は端子カバーを取り外す様子を図１のＡ−Ａ線断面において示す説明図である。
図３（Ａ）に矢印Ａで示すように、端子カバー７の取り付けは、端子カバー７を送り端子部６の前方から後方へ向けて装着することで行われる。この時、図３（Ｂ）に示すように、３本の導電バー５，５，５のうち、最前部の導電バー５の右側端部の上端縁５ａ及び下端縁５ｂに、それぞれ第１の爪部８ａ及び第２の爪部８ｂが係止することで、端子カバー７は、導電バー５上に固定される。よって、端子カバー７は、第１の爪部８ａ及び第２の爪部８ｂが上方及び下方から導電バー５を把持する形となるため、上下方向へずれることがなく、端子カバー７の保持に必要な保持力を確保できる。加えて、突起部７ａ、７ｂの端部が最前部の導電バー５に当接して位置決めされ、端子カバー７と送り端子部６との間に、端子カバー７と送り端子部６に接続される電線（図示せず）とが干渉しないための壁が形成されるようになっている。
【００１２】
端子カバー７の取り外す際、端子カバー７を、図４（Ａ）に矢印Ｂで示すような方向で力を加え、前方へ向けて引き抜こうとする場合、第１の爪部８ａ及び第２の爪部８ｂは、端子カバー７の保持に必要な保持力を備えるため、特に第１の爪部８ａ及び導電バー５に大きな負荷がかかり、破損の原因となり得る。
しかし、図４（Ｂ）に矢印Ｃで示すように、端子カバー７の押し込み部１０を後方へ向けて押し込むことで、第１の爪部８ａと導電バー５の上端縁５ａとの接点を中心に、後方へ向けて端子カバー７が回転し、第２の爪部８ｂが導電バー５の下端縁５ｂから離脱する。導電バー５の下端縁５ｂがテーパ形状であるため、端子カバー７に対し、単に前方へ向けて力がかかる場合と異なり、押し込み部１０を押し込んだ場合は、第２の爪部８ｂは当該下端縁５ｂから外れやすくなっている。その後、端子カバー７を前方へ向けて引き抜くように、第１の爪部８ａを導電バー５の上端縁５ａから離脱させることで取り外しが完了する。このように、端子カバー７の取り外しは、押し込み部１０を後方へ向けて押し込むだけで第２の爪部８ｂを導電バー５の下端縁５ｂから離脱させられるため、容易に行うことができる。また、端子カバー７や導電バー５にかかる負担が少ないため、破損を防止できる。
【００１３】
上記形態の分電盤１は、前方へ開口するキャビネット２内において、主幹ブレーカ３と複数の分岐ブレーカ４とを導電バー５により接続し、導電バー５の主幹ブレーカ３と反対側の端部に送り端子部６を設けており、送り端子部６は、送り端子部６を覆うように端子カバー７を備え、端子カバー７は、導電バー５の端部の上端縁５ａに係止する第１の爪部８ａと、下端縁５ｂに係止する第２の爪部８ｂとを備え、第１の爪部８ａと第２の爪部８ｂとが対向配置され、端子カバー７を、前後方向に着脱可能とする。
このようにして構成される分電盤１によれば、端子カバー７の着脱方向をキャビネット２の前後方向としたことで、従来の端子カバーの着脱に必要であった送り端子部６右側のスペースが不要となるため、図５に示すように、キャビネット２内のフリースペースＦに従来よりも大きな機器Ｘを搭載できると共に、分電盤１の省スペース化を図ることができる。加えて、端子カバー７が、導電バー５に取り付けられた端子カバー７の保持に必要な保持力を確保しつつ、容易に着脱可能となる。
【００１４】
また、端子カバー７は、端子カバー７の前面上部に、第２の爪部８ｂを導電バー５から離脱させる押し込み部１０を設けている。
よって、導電バー５に取り付けられた端子カバー７を外す際、押し込み部１０を後方へ向けて押し込むだけで、第２の爪部８ｂが導電バー５から離脱するため、容易に端子カバー７を外すことができ、端子カバー７等の破損を防止することができる。
【００１５】
以上は、本発明を図示例に基づいて説明したものであり、その技術範囲はこれに限定されるものではない。例えば、端子カバーを形成する素材は、絶縁性のある素材であれば良い。また、端子カバーは、一体に形成されても、複数の構成部品からなるものであっても良い。また、端子カバーの形状は、送り端子部を覆うものであれば、その形状は任意に設定できる。さらに、端子カバーに設けられる爪部は、端子カバーの保持に必要な保持力と着脱容易性とを両立するものであれば、その形状や数は任意に設定可能である。
【符号の説明】
【００１６】
１・・分電盤、２・・キャビネット、３・・主幹ブレーカ、４・・分岐ブレーカ、５・・導電バー、６・・送り端子部、７・・端子カバー、８ａ・・第１の爪部、８ｂ・・第２の爪部、１０・・押し込み部。
【図１】
2020205675.tif 000003
【図２】
2020205675.tif 000004
【図３】
2020205675.tif 000005
【図４】
2020205675.tif 000006
【図５】
2020205675.tif 000007